(57)【特許請求の範囲】
【請求項１】
少なくとも１個の発光素子で構成された表示器とこれらの各表示器に個別に設けられた駆動手段および受信手段とを備えたセグメントを、屈曲が可能な共通電極用フィルムに複数配置し、送信手段からの信号を上記受信手段にて受信し、受信情報により上記表示器を個別に発光させるとともに、配置された上記セグメント間の上記共通電極用フィルムが屈曲することにより筒状に丸めることができるようにし、上記各セグメントが上記発光素子を搭載した第１の基板と上記駆動手段および受信手段を搭載した第２の基板とを有し、共通電極が張り巡らされると共にスルーホールが形成された上記共通電極用フィルムに上記第１および第２の基板がこれを表と裏から挟み込みかつスルーホールを介して互いに電気的に接続されるように設けられたことを特徴とする表示装置。
【請求項２】
上記送信手段は周波数の異なる表示データを送信し、上記共通電極用フィルムに配置されたセグメント毎に異なる周波数しか受信できない手段を設けたことを特徴とする請求項１記載の表示装置。
【請求項３】
上記共通電極用フィルムに配置されたセグメント間に受信開始・終了の信号をやり取りできるデータ線を配線接続したことを特徴とする請求項１または２記載の表示装置。
【請求項４】
上記送信手段は、上記共通電極用フィルムに配置されたセグメント毎の表示データを送信する前に、表示させたいセグメントを指定するための信号を送信することを特徴とする請求項１ないし３のいずれか１項記載の表示装置。
【請求項５】
上記送信手段は少なくとも１個であることを特徴とする請求項１ないし４のいずれか１項記載の表示装置。
【発明の詳細な説明】
【０００１】
【発明の属する技術分野】
この発明は、遠隔操作が可能な表示装置に関し、特に高精細の大画面等を得たい場合に用いて好適な表示装置に関するものである。
【０００２】
【従来の技術】
この種従来の表示装置として、例えば図３０に示すような個別駆動型の表示装置と、図３１に示すようなマトリクス駆動型の表示装置がある。
即ち、発光ダイオード（以下、ＬＥＤという）等の自己発光型の素子を用いた表示装置において、発光素子を駆動させるためには図３０に示すように発光素子１８を個別に駆動させるか、図３１に示すように１ライン毎に発光するマトリクス駆動させる等の方法が一般的である。
これらの表示装置を大画面化する場合、図３１のようなマトリクス駆動する装置は、そのまま大画面化が可能であるが、図３０のような個別駆動方式では、回路基板を複数個組み合わせ、図３２に示すように発光素子１８が実装されている裏側に、発光素子１８の個別駆動用配線３１を多数出すことで大画面化を行うようにしている。
【０００３】
【発明が解決しようとする課題】
従来の表示装置は以上のように構成されているので、図３１のようなマトリクス駆動方式では、１ライン毎に表示させなければならず、大画面化によるライン数の増加に対しては、どうしても１ライン分の表示時間が短くなり画面が暗くなったり、画面のちらつきが問題となる。
また、図３０のような個別駆動方式では、表示基板１３のパターンが複雑で、図３２のように表示画面の裏面の配線が煩雑になり、また、表示基板１３のパターンも複雑であり、それが表示装置の大型化、高精細化、軽量化、薄型化を阻むものであった。
【０００４】
この発明は上記のような問題点を解消するためになされたもので、表示部のパターン配線を簡略化して、薄型、軽量化、大型化、高精細化を可能にし、さらに搬送、搬出が容易な表示装置を得ることを目的としている。
【０００５】
【課題を解決するための手段】
上記の目的に鑑み、この発明は、少なくとも１個の発光素子で構成された表示器とこれらの各表示器に個別に設けられた駆動手段および受信手段とを備えたセグメントを、屈曲が可能な共通電極用フィルムに複数配置し、送信手段からの信号を上記受信手段にて受信し、受信情報により上記表示器を個別に発光させるとともに、配置された上記セグメント間の上記共通電極用フィルムが屈曲することにより筒状に丸めることができるようにし、上記各セグメントが上記発光素子を搭載した第１の基板と上記駆動手段および受信手段を搭載した第２の基板とを有し、共通電極が張り巡らされると共にスルーホールが形成された上記共通電極用フィルムに上記第１および第２の基板がこれを表と裏から挟み込みかつスルーホールを介して互いに電気的に接続されるように設けられたことを特徴とする表示装置にある。
【０００６】
【発明の実施の形態】
以下、この発明の各実施の形態を図を参照して説明する。
実施の形態１．
図１はこの発明の実施の形態１を示す構成図である。
図において、操作部３は主にパソコン等であり、そこに送信部５が接続されており、表示部１１は複数個の個別に受信・発光する表示セグメントとしてのセグメント１０にて構成されている。
送信部５は、送信アンテナ４を有する送信変換部１と、この送信変換部１に接続され、操作部１からの操作情報（画像データ）を受けて駆動データに変換する駆動データ変換部２とを備える。また、セグメント１０は、受信アンテナ９を有し、受信信号を送信された元の駆動データに変換する受信変換部６と、この受信変換部６に接続された駆動部７と、この駆動部７からの駆動データで駆動される発光部８とを備える。
【０００７】
次に、動作について説明する。
操作部３からは画像データが出力され、それを駆動データ変換部２にて発光部８（主にＬＥＤ等の自己発光型素子）を表示するための駆動データに変換し、その駆動データを送信変換部１にて変調・増幅して、送信アンテナ４にて各セグメント１０に表示データを送信する。
各セグメント１０の受信アンテナ９にて受信された信号は受信変換部６にて復調・増幅され送信部５の駆動データ変換部２でつくられたデータに戻り、その駆動データを基に駆動部７が発光部８を点灯させる。
【０００８】
図２に図１の表示装置の具体的な外観図を示す。
つまり、図２のセグメント１０が一つのみでも受信・発光できることになる。図３にセグメント１０の詳しい構成についての一例を示す。例えば、ＬＥＤ１８は表示基板１３に実装されており、受信回路基板１４へは受信アンテナ９、受信回路ＩＣ１９，ＬＥＤ駆動用ＩＣ２０、抵抗及びコンデンサなどの電子部品２０ａが実装されている。表示基板１３と受信回路基板１４を互いに貼り合わせることにより、一つのセグメント１０を構成させる。これらセグメント１０を多数配列し大画面化するための構成方法の一例を図４、図５に示す。
【０００９】
図４のように共通電極１６（主に電源パターンＶｄｄ，ＧＮＤ等）が配線してある共通電極用基板１５をセグメント１０が挟み込むように実装されており、表示基板１３と受信回路基板１４の導通はスルーホール１７を介して行われる。このような構成にて図５のようにセグメント１０が多数配列可能となり、大画面化が容易に構成できるようになる。
ここまで、セグメント１０は主にＬＥＤ等である発光素子１８を３個実装された構成であるが、実用では解像度にもよるが部品代を抑えるため、図６のように多数の発光素子１８を実装し、一つのセグメント１０として構成することもできる。
【００１０】
しかし、このままでは全てのセグメントに同じデータが送信されてしまい、同じ点灯にしかならないので、表示データ送信の際に受信すべきセグメントを指定しなければならない。
その解決法の一例として、図７は送信変換部１の一部であるが、図７のように送信変換部１においてセグメントの駆動データを平衡変調器２２に入力し、これをセグメント毎に周波数が変化する可変局部発振器２１の搬送波に乗せて出力を行う。
【００１１】
そして、図８は受信変換部６の一部であるが、図８のようにセグメント毎に異なる固定局部発振器２３を設け、その出力を表示データを検波している検波器２４に供給することにより、セグメント毎に受信できる駆動データが異なるようにできる。
つまり、例えば図９のように７２個のセグメント１０が２．０１ＭＨｚからＯ．０１ＭＨｚごとに異なる固定局部発振器２３を実装されているならば、送信部５の可変局部発振器２１は２．０１〜２．７２ＭＨｚの可変範囲にて周波数を変化させることにより、各セグメント１０毎に表示データを送信できる。
【００１２】
また、このように送信部５の周波数を可変にすることにより、セグメント１０を指定するデータ転送方法では、デジタル信号も転送可能である。この場合、送信部５にて異なる周波数に変更・送信されたデジタル信号は、受信変換部６にて図１０のＳＡＷフィルタ２５で指定された周波数のデジタルデータのみ駆動部７ヘデータを送ることとなり、各セグメント毎に異なる表示が可能となる。つまり、この場合、ＳＡＷフィルタ２５は表示セグメント毎に異なる周波数帯しか受信できない手段である。なお、デジタルデータについては、電波による送受信ではなく、可視光レーザ光による送受信も可能になる。その場合の構成図を図２７に示す。
【００１３】
以上のように、セグメント１０毎に独立して受信・発光を行える表示部により、表示装置の大型化、軽量化、薄型化、高精細化が可能となった。特に大型化に対してはセグメントの数を増やすことにより容易に行えるので、カスタム対応の仕様についても、素早く対応できるようになる。発光部８や駆動部７或いは受信変換部６などの不良に対しても、セグメント１０の部分のみ交換すればよいので、製品に対する歩留まりが向上でき、また、市場における故障に対してもセグメント１０のみの交換で済むので、故障修理の時間が大幅に短縮される等の利点が挙げられる。
【００１４】
実施の形態２．
上記実施の形態１ではセグメントの指定に周波数帯で区別したが、画面を表示させるとき、各セグメントは一定方向に順次データを送信することが多く、その場合、図１１のようにセグメント間にて順次受信ＯＫ信号の受渡しができれば順次送信機の送信に合わせてセグメントのデータ受信が行える。
つまり、まず一画像分のデータを送信するとき、一番初めの第一セグメント１０ａから受信し始める。そして、第一セグメント１０ａがデータの受信を完了したら、そのことを第二セグメント１０ｂに受信ＯＫを信号にて伝えると第二セグメント１０ｂは受信状態となる。この場合、各セグメント間に受信開始・終了の信号をやり取りできるデータ線が配線されている。
【００１５】
これらを図１１のように第三セグメント１０ｃ以降も続けることにより、一画像分の表示が可能となる。ただし、この表示方法ではセグメント間のデータ線は少なくとも１本は必ず必要となる。この表示方法の送信方式としては、アナログ送信・デジタル送信のどちらも可能であるのだが、特にアナログ送信での利点としては、送信変換部と受信変換部の変調・復調に関して、ＦＭ変調・ＡＭ変調の両方が可能となることである。特にＦＭ変調を行うことにより、セグメント１０の駆動データを正確に伝えることができる。
【００１６】
かくして、本実施の形態では、実施の形態１と同じく表示装置の大型化、軽量化、薄型化、高精細化が可能となる。
【００１７】
実施の形態３．
上記実施の形態１では周波数によりセグメント１０を指定し、上記実施の形態２ではセグメント１０間で受信状態を転送することで表示させる方法であったが、これら実施の形態１と実施の形態２の表示装置を組み合わせた考え方も可能である。
図１２では実施の形態２の表示部１１が数個並べられた形であり、第一表示部１１ａ、第二表示部１１ｂ、第三表示部１１ｃにて受信する周波数帯が異なっているので、送信部５の周波数を変更することにより、セグメント１０へ正確にデータを送ることができる。
ただし、この方法では送信変換部と受信変換部の変調・復調に関してはＦＭ変調が使用できなくなる。
【００１８】
かくして、本実施の形態では、大画面化に際して現地で添え付け及び組立を行う場合、工場にて各表示部１１ａ，１１ｂ，１１ｃを個別に調整しておけば、現地での組立に際して調整が簡単に済む。
【００１９】
実施の形態４．
上記実施の形態３とは反対に図１３は実施の形態１の表示装置１１が数個並べられた形であり、第一表示部１１ａ、第二表示部１１ｂ、第三表示部１１ｃにて受信ＯＫのデー夕の受け渡しを行うことにより、各表示部１１ａ，１１ｂ，１１ｃ自体が受信状態がそうでないか判断するものである。
ただし、この場合は各表示部毎、または、セグメント毎にデータ受信ＯＫ信号にてＯＮ／ＯＦＦするスイッチング回路が必要となる。
【００２０】
かくして、本実施の形態では、上記実施の形態３と同じく各表示毎に調整でき、あとで組み立てられることや、また、送信機側の周波数の可変範囲が短くなり、送信機側の負担を減らせ、送信機を安くすることができる。
【００２１】
実施の形態５．
上記実施の形態１および２以外の表示データを送信するセグメントの指定方法としては、デジタル送信を行う場合、図１４のように駆動データ前にセグメント番号を送信し、そのセグメント番号の番地にあるセグメントのみ受信状態にする方法がある。
図１５はその構成の概略図であり、各セグメント１０ａ，１０ｂ，１０ｃには、セグメント番号が付けられており、送信部５は図１４の表示データを送信する。つまり、送信部５は、セグメント分の表示データを送信する前に、表示させたいセグメントを指定するための信号を送信する。
かくして、本実施の形態では、表示装置の大型化、軽量化、薄型化、高精細化が可能となる。
【００２２】
実施の形態６．
上記実施の形態５のセグメント指定方法は、上記実施の形態１と組み合わせて構成できる。
例えば図１６では実施の形態５の表示部１１が数個並べられた形であり、第一表示部１１ａ、第二表示部１１ｂ、第三表示部１１ｃにて受信する周波数帯が図１０のＳＡＷフィルタを変えることにより異なっているので、送信部５の周波数を変更することにより、セグメント１０へ正確にデータを送ることができる。
【００２３】
また、これとは逆に図１７のように実施の形態１の表示部１１が数個並べられた形であり、各表示部１１ａ，１１ｂ，１１ｃには番号が付けられておりその番号をデジタル送信にて指定すると、その表示装置が受信状態となる、その後、指定し受信状態になった表示装置に対して実施の形態１の方法にて各セグメントヘ表示データを送信することができる。
かくして、本実施の形態では、表示装置の大型化、軽量化、薄型化、高精細化が可能となり、各表示毎に調整できるので、組立も容易となる。
【００２４】
実施の形態７．
上記実施の形態５のセグメント指定方法は、上記実施の形態２と組み合わせても構成できる。
例えば図１８は実施の形態５の表示装置１１が数個並べられた形であり、第一表示部１１ａ、第二表示部１１ｂ、第三表示部１１ｃにて受信ＯＫのデータの受け渡しを行うことにより、各表示部１１ａ，１１ｂ，１１ｃ自体が受信状態がそうでないか判断するものである。
【００２５】
また、これとは逆に図１９は実施の形態２の表示装置１１が数個並べられた形であり、まず受信をする表示装置の番号をデジタル送信しその表示装置が受信状態となり、あとは各セグメント毎に実施の形態２の方法で表示データを送信する方法である。
かくして、本実施の形態では、表示装置の大型化、軽量化、薄型化、高精細化が可能となり、各表示毎に調整できるので、組立も容易となる。
【００２６】
実施の形態８．
表示装置において動画等の表示には、時間あたりの表示回数を増やすため表示時間を短く必要がある。
また、大画面化し画素数が増える場合においても、一画面分のデータ数が増えるので表示速度が遅くなってしまう。そこで、上記実施の形態１〜６までにおいては送信部５が一つのみの実施の形態であったが、データの転送速度を上げるため、送信部５を複数個使用することでデータの送信速度を上げることができる。
例えば図２０は実施の形態３の図１２における表示部を複数個の送信部にて構成した場合の構成図である。
【００２７】
この構成では第一送信部５ａは第一表示部１１ａ、第二送信部５ｂは第二表示部１１ｂ、第三送信部５ｃは第三表示部１１ｃを駆動することとなる。
なお、図２０の場合は、送信部３個に対して表示部が３個のため、送信部は周波数を変更しなくてもよいので、固定周波数の送信部を使用できる。例えば図２１は実施の形態３の図１３における表示部を複数個の送信部にて構成した場合の構成図である。
この構成では第一送信部５ａにて各表示部１１ａ・１１ｂ・１１ｃの上１／３、第二送信部５ｂにて各表示部１１ａ・、１１ｂ・１１ｃの中１／３、第三送信部５ｃにて各表示部１１ａ・１１ｂ、・１１ｃの下１／３を駆動することとなる。
【００２８】
例えば、図２２は実施の形態６の図１６における表示部を複数個の送信部にて構成した場合の構成図である。この構成では送信部５ａは表示部１１ａ、送信部５ｂは表示部１１ｂ、送信部５ｃは表示部１１ｃを駆動することとなる。
なお、図２２の場合も、送信部と表示部が同数のため、送信部は固定周波数でよい。
【００２９】
以上のように様々な構成が考えられるが、本実施の形態では、複数個の送信部を使用することにより、駆動データの送信時間が短くなり、動画などの表示も行えるようになり、また、場合によっては、送信部の可変範囲も短くできるため送信部の負担も少なくなる。
【００３０】
実施の形態９．
上記実施の形態１〜７において、受信手段としてのアンテナ及びレーザ受光素子が各セグメント毎に付いているが、各セグメンに付ける必要はなく、アンテナ及びレーザ受光素子を複数個少なくとも図２３のように一本にまとめることができる。その場合、図２４のように共通電極用基板１５にアンテナ及びレーザ受光素子の線を配線することもできる。
かくして、本実施の形態では、表示部にかかるアンテナ及びレーザ受光素子の価格を安くすることができる。
【００３１】
実施の形態１０．
上記実施の形態１〜８において、セグメント１０と共通電極用基板１５の配置をセグメント１０の受信回路基板１４と共通電極用基板１５の間に挟むような配置であるが、図２８のように表示基板１３と受信回路基板１４を合わせ、例えばひとつの基板である表示・受信回路基板３０とし、共通電極用基板１５の片側に表示・受信回路基板３０を設置する。
また、共通電極用基板１５と表示・受信回路基板３０の接続は、スペーサの役割も兼ねた接続部品３１にて行う。
以上のようにすることによって、共通電極用基板１５のパターン配線は少なくとも電源配線（Ｖｄｄ，ＧＮＤ）のみで構成できるようになる。
【００３２】
かくして、本実施の形態では、セグメントの表示・受信回路基板３０が安く、薄くすることができ表示部１１自体も薄くできる。
また、共通電極用基板１５のパターンが簡単になり、電源パターンを太くすることができ、基板の電流容量を増やすことができる。
【００３３】
実施の形態１１．
セグメント１０の表示面積が大きく、発光部の間隔に隙間がある場合、図２９のように受信回路ＩＣ１９、ＬＥＤ駆動用ＩＣ２０、抵抗及びコンデンサなどの電子部品２０ａ、受信アンテナ９を発光素子１８と同じ面の共通電極用基板１５上に実装できる。
【００３４】
かくして、本実施の形態では、セグメント１１が片面実装基板となり、製造しやすくなる。また、セグメント１１も薄くなり表示装置も更に薄くできる。
また、この方法では、図２７のようにレーザ発光装置１２ａと受光回路１２ｂを使用した送信の場合、受信回路１２ｂが表示装置の表示面となるため、送信部５側から表示を確認しながらの操作が可能となる。
【００３５】
実施の形態１２．
上記実施の形態１〜９において、共通電極用基板１５は、プリント基板のような固い構造のものではなく、フィルム等の屈曲が可能な材質のものを使用してもよい。そうすることにより、図２５の各セグメント１０間の隙間により共通電極用フィルム２６が形状可動となる。
図２６は共通電極用フィルム２６を用いたときの、表示装置の使用方法一例である。表示部１１は吊り組２８にて壁などにある留め金２９に吊されており、表示装置１１の下部にある筒みたいなものは、電源やスピーカ等が入った電源ボックス２７である。共通電極用フィルム２６は形状可動のため、この電源ボックス２７を中心に表示部１１を丸め込むことができる。表示装置が図２６のような形状になることにより、大型表示装置の搬送、搬出が容易となり、持ち運びが便利になる。
【００３６】
【発明の効果】
この発明によれば、少なくとも１個の発光素子で構成された表示器とこれらの各表示器に個別に設けられた駆動手段および受信手段とを備えたセグメントを、屈曲が可能な共通電極用フィルムに複数配置し、送信手段からの信号を上記受信手段にて受信し、受信情報により上記表示器を個別に発光させるとともに、配置された上記セグメント間の上記共通電極用フィルムが屈曲することにより筒状に丸めることができるようにし、上記各セグメントが上記発光素子を搭載した第１の基板と上記駆動手段および受信手段を搭載した第２の基板とを有し、共通電極が張り巡らされると共にスルーホールが形成された上記共通電極用フィルムに上記第１および第２の基板がこれを表と裏から挟み込みかつスルーホールを介して互いに電気的に接続されるように設けられたことを特徴とする表示装置としたので、表示部のパターン配線を簡略化しまた共通電極用フィルムを使用して薄型、軽量化、大型化、高精細化を可能にしさらに搬送、搬出が容易となり、持ち運びが便利になるという効果がある。
【００３７】
また、表示セグメントが、送信部より送信された表示データを受信し、該受信された表示データを表示素子の駆動データに変換する受信変換部と、該受信変換部で変換された駆動データを基に発光部を制御する駆動部とを有するので、薄型、軽量化、大型化、高精細化が可能で、しかも、カスタム対応の仕様についても、素早く対応できるという効果がある。
【００３８】
また、送信部で周波数の異なる表示データを送信し、表示部に表示セグメント毎に異なる周波数帯しか受信できない手段を設けたので、各表示セグメント毎に異なる表示が可能になり、薄型、軽量化、大型化、高精細化が可能になるという効果がある。
【００３９】
また、表示セグメント間に受信開始・終了の信号をやり取りできるデータ線を配線したので、各表示セグメントの駆動データを正確に伝送でき、薄型、軽量化、大型化、高精細化が可能になるという効果がある。
【００４０】
また、送信部が、表示セグメント分の表示データを送信する前に、表示させたい表示セグメントを指定するための信号を送信するので、表示データを確実に伝送でき、薄型、軽量化、大型化、高精細化が可能になるという効果がある。
【００４１】
また、送信部を少なくとも１個備えているので、特に複数個の送信部を使用すると、駆動データの送信時間が短くなり、動画などの表示も行えるようになるという効果がある。
【００４２】
また、表示部の各表示セグメントに含まれる複数の受信手段を単一にまとめたので、表示部にかかるアンテナ及びレーザ受光素子等の価格を安くすることができ、装置の低廉化が図れるという効果がある。
【００４３】
また、表示セグメント間の接続に変形可能な素材を使用するので、表示装置の搬送、搬出が容易となり、持ち運びが便利になるという効果がある。
【００４４】
また、表示セグメントの接続用基板またはフィルムの片面にのみに、該表示セグメントを配置したので、表示セグメントの基板等が安く、薄くすることができ、表示部自体も薄くでき、また、基板のパターンが簡単になり、電源パターンを太くすることができ、基板の電流容量を増やすことができるという効果がある。
【００４５】
また、表示セグメントの発光部と同じ面に受信変換部と駆動部を設けたので、製造しやすくなり、表示部も更に薄くできるという効果がある。
【図面の簡単な説明】
【図１】  この発明の実施の形態１を示す構成図である。
【図２】  この発明の実施の形態１における表示装置を示す外観図である。
【図３】  この発明の実施の形態１におけるセグメントを示す構成図である。
【図４】  この発明の実施の形態１におけるセグメントと共通電極用基板を示す構成図である。
【図５】  この発明の実施の形態１における表示装置を構成図である。
【図６】  この発明の実施の形態１におけるセグメント大型化を説明するための図である。
【図７】  この発明の実施の形態１における送信変換部の信号変換方法を説明するための図である。
【図８】  この発明の実施の形態１における受信変換部の信号変換方法を説明するための図である。
【図９】  この発明の実施の形態１における送信方法を説明するための図である。
【図１０】  この発明の実施の形態１におけるデジタル送信による送信変換部の信号変換方法を説明するための図である。
【図１１】  この発明の実施の形態２を示す構成図である。
【図１２】  この発明の実施の形態３を示す構成図である。
【図１３】  この発明の実施の形態４を示す構成図である。
【図１４】  この発明の実施の形態５における表示データを示す図である。
【図１５】  この発明の実施の形態５における送信方法を説明するための図である。
【図１６】  この発明の実施の形態６を示す構成図である。
【図１７】  この発明の実施の形態６を示す構成図である。
【図１８】  この発明の実施の形態７を示す構成図である。
【図１９】  この発明の実施の形態７を示す構成図である。
【図２０】  この発明の実施の形態８を示す構成図である。
【図２１】  この発明の実施の形態８を示す構成図である。
【図２２】  この発明の実施の形態８を示す構成図である。
【図２３】  この発明の実施の形態９における受信アンテナの一本化による表示装置を示す外観図である。
【図２４】  この発明の実施の形態９における受信アンテナの一本化による共通電極用基板を示す構成図である。
【図２５】  この発明の実施の形態１２における共通電極用フィルムによる構成図である。
【図２６】  この発明の実施の形態１２における表示部の丸め込み動作説明図である。
【図２７】  この発明の実施の形態１および１１における可視光レーザ光による送信・受信の方法を説明するための図である。
【図２８】  この発明の実施の形態１０におけるセグメントの共通電極用基板片側への配置を示す図である。
【図２９】  この発明の実施の形態１１におけるセグメントの基板片側への部品実装を示す図である。
【図３０】  従来の個別駆動型の表示装置を示す回路図である。
【図３１】  従来のマトリクス駆動型の表示装置を示す回路図である。
【図３２】  従来の個別駆動型の表示装置を示す外観図である。
【符号の説明】
１  送信変換部、２  駆動データ変換部、３  操作部、４  送信アンテナ、５送信部、５ａ  第一送信部、５ｂ  第二送信部、５ｃ  第三送信部、６  受信変換部、７  駆動部、８  発光部、９  受信アンテナ、１０  セグメント、１１表示部、１１ａ  第一表示部、１１ｂ  第二表示部、１１ｃ  第三表示部、１２ａ  レーザ発光装置、１２ｂ  受光回路、１３  表示基板、１４  受信回路基板、１５  共通電極用基板、１６  共通電極、２１  可変局部発信器、２２  平衡変調器、２３  固定局部発信器、２４  検波器、２５  ＳＡＷフィルタ、２６共通電極用フィルタ。
【図１】
0003699091.tif 000002
【図２】
0003699091.tif 000003
【図３】
0003699091.tif 000004
【図４】
0003699091.tif 000005
【図５】
0003699091.tif 000006
【図６】
0003699091.tif 000007
【図７】
0003699091.tif 000008
【図８】
0003699091.tif 000009
【図９】
0003699091.tif 000010
【図１０】
0003699091.tif 000011
【図１１】
0003699091.tif 000012
【図１２】
0003699091.tif 000013
【図１３】
0003699091.tif 000014
【図１４】
0003699091.tif 000015
【図１５】
0003699091.tif 000016
【図１６】
0003699091.tif 000017
【図１７】
0003699091.tif 000018
【図１８】
0003699091.tif 000019
【図１９】
0003699091.tif 000020
【図２０】
0003699091.tif 000021
【図２１】
0003699091.tif 000022
【図２２】
0003699091.tif 000023
【図２３】
0003699091.tif 000024
【図２４】
0003699091.tif 000025
【図２５】
0003699091.tif 000026
【図２６】
0003699091.tif 000027
【図２７】
0003699091.tif 000028
【図２８】
0003699091.tif 000029
【図２９】
0003699091.tif 000030
【図３０】
0003699091.tif 000031
【図３１】
0003699091.tif 000032
【図３２】
0003699091.tif 000033